(57)【要約】      （修正有）【課題】用紙切れの際の用紙の切れ端を回収することで、動作信頼性を確保することができる紙葉類処理装置および紙葉類処理装置の紙葉類回収方法を提供する。【解決手段】ロール状に巻かれた用紙を供給する供給部１１と、供給部から供給された用紙を搬送する搬送路Ｒと、用紙の用紙切れを検出する検出部１２と、検出部が用紙の用紙切れを検出すると搬送路上の用紙を回収する制御部をもつ紙葉類処理装置。【選択図】図１
2011201290.tif 000002
【特許請求の範囲】
【請求項１】
ロール状に巻かれた用紙を供給する供給部と、
前記供給部から供給された用紙を搬送する搬送部と、
前記用紙の用紙切れを検出する検出部と、
前記検出部が前記用紙の用紙切れを検出すると、前記搬送路上の用紙の切れ端を回収する制御部を具備することを特徴とする紙葉類処理装置。
【請求項２】
前記検出部が用紙切れを検出した際、残りの用紙の印字可能領域に必要な情報が全て記載可能であるかどうかを判断し、記載が不可能であるとの結論に達すると、前記用紙の切れ端を前記搬送路により回収する判断部を更に有することを特徴とする請求項１記載の紙葉類処理装置。
【請求項３】
前記用紙の切れ端を前記搬送路により搬送して回収可能に設けられた回収庫を更に具備することを特徴とする請求項１記載の紙葉類処理装置。
【請求項４】
前記回収庫は、前記搬送路において前記検出部より用紙搬送下流側に配置することを特徴とする請求項３記載の紙葉類処理装置。
【請求項５】
前記検出部が前記用紙の用紙切れを検出すると、前記搬送路を逆方向に動かして前記搬送路上の用紙を回収する前記搬送路のドライバを更に具備することを特徴とする請求項１記載の紙葉類処理装置。
【請求項６】
前記制御部が前記用紙を回収した後に、新しい用紙の補給を促すべく外部に通知する通知部を更に具備することを特徴とする請求項１記載の紙葉類処理装置。
【請求項７】
搬送路を用いて用紙を出力する紙葉類処理装置の紙葉類回収方法であって、
ロール状に巻かれた用紙を供給し、
前記用紙の用紙切れがないかどうかを観察し、
前記用紙の用紙切れを検出すると、前記搬送路上の用紙の切れ端を回収することを特徴とする紙葉類処理装置の紙葉類回収方法。
【請求項８】
前記用紙の用紙切れを検出すると、残りの用紙の印字可能領域に必要な情報が全て記載可能かどうかを判断し、
記載が不可能であるとの結論に達すると、前記用紙の切れ端を前記搬送路により回収することを特徴とする請求項７記載の紙葉類回収方法。
【請求項９】
前記用紙の切れ端を前記搬送路により回収庫へ搬送することにより、前記用紙の切れ端を回収することを特徴とする請求項７記載の紙葉類回収方法。
【請求項１０】
前記用紙の用紙切れを検出すると、前記搬送路を逆方向に動かすことで前記用紙を回収することを特徴とする請求項７記載の紙葉類回収方法。
【請求項１１】
前記用紙を回収した後に、新しい用紙の補給を促すべく外部に通知することを特徴とする請求項７記載の紙葉類回収方法。
【発明の詳細な説明】
【技術分野】
【０００１】
本発明は、用紙をカットしてレシート等を発行するレシート発行装置等の紙葉類処理装置であり、用紙切れとなった際の用紙の切れ端を回収する紙葉類処理装置および紙葉類処理装置の紙葉類回収方法に関する。
【背景技術】
【０００２】
従来、レシート等の用紙に印刷してカットし発行する紙葉類処理装置が開発され製造されて使用されている。このような紙葉類処理装置においては、例えば、ＡＴＭ（Automatic Teller Machine）の領収書のプリンタ等に用いられ、ロール状に巻かれた用紙を準備し、用紙を適当な長さにカットすることでレシートを作成し、作成したレシート上に必要な印刷等をして発行している。ここで、レシートとなるロール状の用紙が用紙切れとなったことを、装置が認識して通知する技術が知られている。
【０００３】
特許文献１は、ロール紙がエンドをなったことを検出する検出部を設け、用紙がエンドとなり、印字が不可能となると、これをユーザに通知するプリンタ装置を開示している。
【先行技術文献】
【特許文献】
【０００４】
【特許文献１】特開平３−１３３７２号公報
【発明の概要】
【発明が解決しようとする課題】
【０００５】
しかし、従来技術は、ロール紙がエンドとなることを通知したとしても、このようなロール紙の最後において、レシートの長さに満たない用紙の切れ端が搬送路上に残り、これが用紙ジャムの原因となっていることに対して、何らの対策を示していない。
【０００６】
すなわち、用紙切れとなって残された用紙がプリンタ内にあるかどうかが保守要員に分からず、プリンタ内に用紙の切れ端が残っていることに気づかずに新しい用紙を給紙し、プリンタ内でジャムが発生する場合がある。また、印字未完了の場合に用紙切れと検出された場合に、用紙の切れ端がプリンタ内に残されたままであり、場合によっては、紙葉類処理装置の用紙排出口から用紙の切れ端の上端が飛び出し、印字未完了の用紙の切れ端が紙葉類処理装置のユーザに抜き取られてしまうという不具合が生じる場合がある。
【０００７】
本発明は、用紙切れの際の用紙の切れ端を回収することで、動作信頼性を確保することができる紙葉類処理装置および紙葉類処理装置の紙葉類回収方法を提供することを目的とする。
【課題を解決するための手段】
【０００８】
課題を解決する一実施形態は、
ロール状に巻かれた用紙を供給する供給部と、
前記供給部から供給された用紙を搬送する搬送部と、
前記用紙の用紙切れを検出する検出部と、
前記検出部が前記用紙の用紙切れを検出すると、前記搬送路上の用紙を回収する制御部を具備することを特徴とする紙葉類処理装置である。
【０００９】
また、課題を解決する他の一実施形態は、
搬送路を用いて用紙を出力する紙葉類処理装置の紙葉類回収方法であって、
ロール状に巻かれた用紙を供給し、
前記用紙の用紙切れがないかどうかを観察し、
前記用紙の用紙切れを検出すると、前記搬送路上の用紙の切れ端を回収することを特徴とする紙葉類処理装置の紙葉類回収方法である。
【図面の簡単な説明】
【００１０】
【図１】本発明の一実施形態に係るレシート発行装置の一例を示す断面図。
【図２】同じくレシート発行装置の電気的構成の一例を示すブロック図。
【図３】同じくレシート発行装置の切れ端が誤って排出される例を示す断面図。
【図４】同じくレシート発行装置の用紙の切れ端が搬送される一例を示す断面図。
【図５】同じくレシート発行装置の用紙の切れ端が回収される一例を示す断面図。
【図６】同じくレシート発行装置における、用紙の切れ端の回収処理の一例を示すフローチャート。
【図７】同じくレシート発行装置の用紙の切れ端が回収される一例を示す断面図。
【発明を実施するための形態】
【００１１】
以下、この発明の実施の形態である紙葉類処理装置について、レシート発行装置を例にとって図面を参照して詳細に説明する。  
本発明に係る一実施形態である紙葉類処理装置の一例であるレシート発行装置は、図１に示すように、ロールレシート用紙１１と、用紙を検出するための用紙検出用反射型フォトセンサ１２と、用紙を搬送するための用紙搬送用モータ１３と、用紙の裏面のレシートに印字を行うための裏面用印字プラテン１４と、用紙の裏面のレシートに印字を行うための裏面用サーマルヘッド１５と、用紙の表面に印字を行うための表面用サーマルヘッド１７と、用紙の表面に印字を行うための表面用印字プラテン１８と、用紙をカットするためのカッター１９と、カッター１９を駆動するためのカッター用モータ２０と、レシートを排出するための用紙排出口２１と、用紙の切れ端を回収するための回収庫を有している。
【００１２】
また、本発明に係る一実施形態であるレシート発行装置１は、図２に示すように、電気的構成として、全体の動作を制御するＣＰＵ３１と、動作プログラム等を格納するＲＯＭ３２と、動作プログラム等や制御情報を格納するＲＡＭ３３と、動作プログラム等や制御情報を格納するＥＥＰＲＯＭ３４と、センサからの検出信号をデジタル信号化するためのＡＤコンバータ３５と、用紙搬送用モータ１３を駆動するモータドライバ３６と、表面用サーマルヘッド１７および裏面用サーマルヘッド１５を駆動するサーマルヘッドドライバ３７と、カッター用モータ２０を駆動するモータドライバ３８と、用紙検出用反射型フォトセンサ１２と、外部のホストコンピュータＨ等と通信を行なう通知部３９を有する。
【００１３】
このようなレシート発行装置１は、上述したように、ロール紙の最後において、レシートの長さに満たない用紙の切れ端が搬送路上に残った場合、これが用紙ジャムの原因となる場合がある。また、用紙切れとなって残された用紙Ｄがプリンタ内にあるかどうかが保守要員に分からず、印字未完了の場合に用紙切れと検出された場合に、図３に示すようレシート発行装置から用紙の切れ端の上端が飛び出し、印字未完了の用紙の切れ端がユーザに抜き取られてしまうという不具合が生じる場合がある。
【００１４】
このような不具合を回避するべく、以下に、図６のフローチャートを用いて、本発明に係る一実施形態であるレシート発行装置の回収処理の一例を以下に説明する。初めに、制御部であるＣＰＵ３１は、例えば用紙検出用反射型フォトセンサ１２からの検出信号を観測し、ロールレシート用紙１１の用紙切れを検出した場合（ステップＳ１１）、用紙検出用反射型フォトセンサ１２からの検出信号に基づいて、最後の用紙である用紙の大きさを判断し、用紙に対し必要な情報が全て記載可能かを判断する。
【００１５】
用紙検出用反射フォトセンサ１２によって用紙切れを検出すると、ＣＰＵ１３は残りの印字可能領域に必要な情報が全て記載可能かを判断する（ステップＳ１２）。そして、ＣＰＵ１３は、記載可能であると判断した場合は通常の印刷処理を行うが（ステップＳ１８）、記載ができないと判断した場合、印刷のために十分な大きさがないものとして回収すべきであると判断する（ステップＳ１２）。そして、制御部であるＣＰＵ３１は、モータドライバ３６により用紙搬送用モータ１３を駆動して、図４に示すように、用紙の切れ端を用紙の進行方向と逆方向に移動する（ステップＳ１３）。そして、制御部であるＣＰＵ３１は、図５に示すように、モータドライバ３６により用紙搬送用モータ１３を駆動することで、搬送路Ｒにより用紙の切れ端を回収庫２２に回収するものである（ステップＳ１４）。
【００１６】
ここで、ステップＳ１２の残りの用紙の印字可能領域に必要な情報が全て記載可能かの判断は必ずしも必要ではなく、用紙切れを検出したら直ちに、搬送路Ｒにより用紙の切れ端を回収庫２２に回収することも可能である。また、必ずしも回収庫２２を用意しなくとも、用紙の切れ端を単に給紙開始位置まで退避させるだけでもよい。
【００１７】
次に、制御部であるＣＰＵ３１は、通知部３９を介して、例えば、外部に設けられたホストコンピュータＨ等に、新たな用紙の補填を促す旨の通知をする（ステップＳ１５）。制御部であるＣＰＵ３１は、新たな用紙が補填されたことを検出すると（ステップＳ１６）、図示しない操作画面等にスタンバイの表示をしたりホストコンピュータＨ等にスタンバイの通知を行う（ステップＳ１７）。
【００１８】
以上のように、本発明の一実施形態に係るレシート発行装置によれば、用紙切れが発生した場合、印字未完了の用紙がユーザの目に触れてユーザが用紙を抜き取らぬよう、また、用紙の先端がプリンタ外部に飛び出さないように、搬送路を逆方向に動かして用紙の切れ端を退避させる。これにより、印字未完了の用紙の切れ端の先端がプリンタから飛び出している時間は僅かとなり、印字未完了の用紙がユーザの目に触れてユーザが用紙を抜き取られる可能性を低減させることが効能となる。また、用紙の切れ端を回収することで、新しいロールレシート用紙を補給した後もジャムなどの不具合を生じることがない。
【００１９】
また、回収庫２２は、図７に示すように、用紙検出用反射型フォトセンサ１２の用紙搬送下流側に設けることにより、回収庫２２への回収の際に用紙が用紙搬送路上を逆走するようなことが発生しない経路を設定することとなり、その結果、より用紙詰まりが発生しにくくなる。
【００２０】
以上、上述した実施形態においては、レシート発行装置等の紙葉類処理装置につき、レシート等の用紙が無くなった際に、搬送路上に残った用紙の切れ端を回収庫等に回収することで、用紙ジャム等を回避して、レシート発行装置の動作信頼性を確保することができる。
【００２１】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００２２】
１１…ロールレシート用紙、１２…用紙検出用反射型フォトセンサ、１３…用紙搬送用キャリア駆動モータ、１４…裏面用印字プラテン、１５…裏面用サーマルヘッド、１７…表面用サーマルヘッド、１８…表面用印字プラテン、１９…カッター、２０…カッター用モータ、２１…用紙排出口、３９…通知部、Ｈ…ホストコンピュータ。
【図１】
2011201290.tif 000003
【図２】
2011201290.tif 000004
【図３】
2011201290.tif 000005
【図４】
2011201290.tif 000006
【図５】
2011201290.tif 000007
【図６】
2011201290.tif 000008
【図７】
2011201290.tif 000009